(57)【要約】      （修正有）【課題】容易に目地カバー部材の内部に挿入・取り付けが可能で、取り付け後に所定の位置から外れにくく、リケイ紙を剥しやすい目地カバー部材の防水材を提供すること。【解決手段】建物の外部に設けられて隣接する面材３０の互いに対向する端縁部３０ａと端縁部３０ａとの両端縁部間と、該両端縁部に係合して前記隣接する面材３０を共に連結させる結合部材とを覆い止水すべく前記両端縁部に嵌着される目地カバー部材２０の内部に設けられる防水材において、前記防水材は発泡体１２と粘着材１４とを積層させて構成されており、該発泡体１２の上下面中央部に、前記目地カバー部材２０の長手方向に延設されて、前記目地カバー部材２０の内部に挿入容易となるように折曲可能なくびれ部１６を設けた。【選択図】図４
2006316545.tif 000002
【特許請求の範囲】
【請求項１】
建物の外部に設けられて隣接する面材の互いに対向する端縁部と端縁部との両端縁部間と、該両端縁部に係合して前記隣接する面材を共に連結させる結合部材とを覆い止水すべく前記両端縁部に嵌着される目地カバー部材の内部に設けられる防水材において、
前記防水材は発泡体と粘着材とを積層させて構成されており、
該発泡体の上下面中央部に、前記目地カバー部材の長手方向に延設されて、前記目地カバー部材の内部に挿入容易となるように折曲可能なくびれ部を設けたことを特徴とする目地カバー部材の防水材。
【請求項２】
建物の外部に設けられて隣接する面材の互いに対向する端縁部と端縁部との両端縁部間と、該両端縁部に係合して前記隣接する面材を共に連結させる結合部材とを覆い止水すべく前記両端縁部に嵌着される目地カバー部材の内部に設けられる防水材において、
前記防水材は発泡体と粘着材とを積層させて構成されており、
前記防水材において、前記目地カバー部材の内面に当接する部分が、該内面によって該防水材の位置ガイドを行わせるように前記内面の形状に合致させて形成されていることを特徴とする目地カバー部材の防水材。
【請求項３】
建物の外部に設けられて隣接する面材の互いに対向する端縁部と端縁部との両端縁部間と、該両端縁部に係合して前記隣接する面材を共に連結させる結合部材とを覆い止水すべく前記両端縁部に嵌着される目地カバー部材の内部に設けられる防水材において、
前記防水材は発泡体と粘着材とを積層させて構成されており、
前記粘着材の幅は前記発泡体の幅より狭いことを特徴とする目地カバー部材の防水材。
【発明の詳細な説明】
【技術分野】
【０００１】
本発明は防水材に関し、特に、建物の屋根や外壁等に配置される面材間の目地部を止水する防水構造体に用いられる防水材に関するものである。
【背景技術】
【０００２】
従来から、建物の屋根や外壁に配置される防水鋼板等の面材と面材との間の目地部を止水する防水構造体に設けられ、該目地部の水密性を図るために適用される防水材が知られている。
【０００３】
例えば、特許文献１は、下方が開放された長尺略円筒形の本体と、その本体の下端部を外側に折り曲げた折り曲げ部とからなり、該折り曲げ部が隣接した屋根面材の対向する端縁部と端縁部とに嵌着される目地カバー部材の内部に取着される、ブチル系ゴム等で形成された長尺かまぼこ形の防水材を開示している（例えば、特許文献１等参照）。
【特許文献１】特開２００５−２３５９０号公報
【発明の開示】
【発明が解決しようとする課題】
【０００４】
しかしながら、このような目地カバー部材の内部に設けられる従来の防水材にあっては、以下の点を改善することが求められていた。
【０００５】
（１）上記特許文献１に記載の防水材において該防水材が長尺かまぼこの形状に形成されているように、従来技術の防水材は、例えば手で折り曲げようとしても容易に変形しにくい構成となっている。そのため、このような防水材を目地カバー部材の折り曲げ部からその内部へと取り付ける際、防水材を斜めから挿入したり、折り曲げ部の弾性力に抗して力ずくで防水材を内部に押し込めたりする必要があり、防水材の取り付けに手間がかかっていた。
【０００６】
（２）従来では、目地カバー部材の内面に当接する防水材の部分の形状が、該目地カバー部材の内面形状に必ずしも合致していなかった。そのため、例えば目地カバー部材を屋根面材の端縁部と端縁部とに嵌着する際、その内部に取り付けた防水材が、所定の位置からずれたり外れたりしてしまう場合があった。また、防水材が所定の位置からずれたり外れたりしてしまう虞を回避するため、防水材を目地カバー部材の内面に接着する必要があった。
【０００７】
（３）従来では粘着材としてのブチル系ゴム等が、防水材本体の端部にまで設けられていた。そのため、該防水材を目地カバー部材の折り曲げ部からその内部へと挿入する際に、粘着材の端部が該折り曲げ部に当たって粘着してしまう場合があり、防水材を目地カバー部材の内部に挿入するのに手間を要していた。
【０００８】
また、粘着材が防水材本体の端部にまで設けられている場合、その粘着材の表面を接触から保護するリケイ紙も該端部にまで設けられているので、防水材を目地カバー部材の内部に取り付けた後、このリケイ紙を剥すために指先を目地カバー部材の内部の奥にまで入れる必要があった。そのため、リケイ紙を剥しにくいという不都合があった。
【０００９】
本発明は上記の点に鑑みてなされたものであり、その目的は、容易に目地カバー部材の内部に挿入・取り付けが可能で、取り付け後に所定の位置から外れにくく、リケイ紙を剥しやすい目地カバー部材の防水材を提供することにある。
【課題を解決するための手段】
【００１０】
上記した課題を解決するために、請求項１に記載の目地カバー部材の防水材は、建物の外部に設けられて隣接する面材の互いに対向する端縁部と端縁部との両端縁部間と、該両端縁部に係合して前記隣接する面材を共に連結させる結合部材とを覆い止水すべく前記両端縁部に嵌着される目地カバー部材の内部に設けられる防水材において、前記防水材は発泡体と粘着材とを積層させて構成されており、該発泡体の上下面中央部に、前記目地カバー部材の長手方向に延設されて、前記目地カバー部材の内部に挿入容易となるように折曲可能なくびれ部を設けたことを特徴とする。
【００１１】
請求項２に記載の目地カバー部材の防水材は、建物の外部に設けられて隣接する面材の互いに対向する端縁部と端縁部との両端縁部間と、該両端縁部に係合して前記隣接する面材を共に連結させる結合部材とを覆い止水すべく前記両端縁部に嵌着される目地カバー部材の内部に設けられる防水材において、前記防水材は発泡体と粘着材とを積層させて構成されており、前記防水材において、前記目地カバー部材の内面に当接する部分が、該内面によって該防水材の位置ガイドを行わせるように前記内面の形状に合致させて形成されていることを特徴とする。
【００１２】
請求項３に記載の目地カバー部材の防水材は、建物の外部に設けられて隣接する面材の互いに対向する端縁部と端縁部との両端縁部間と、該両端縁部に係合して前記隣接する面材を共に連結させる結合部材とを覆い止水すべく前記両端縁部に嵌着される目地カバー部材の内部に設けられる防水材において、前記防水材は発泡体と粘着材とを積層させて構成されており、前記粘着材の幅は前記発泡体の幅より狭いことを特徴とする。
【発明の効果】
【００１３】
請求項１に記載の目地カバー部材の防水材では、前記防水材は発泡体と粘着材とを積層させて構成されており、該発泡体の上下面中央部に、前記目地カバー部材の長手方向に延設されて、前記目地カバー部材の内部に挿入容易となるように折曲可能なくびれ部を設けたので、前記防水材は、該防水材を前記目地カバー部材の内部に挿入して取り付ける際に容易に折曲変形可能である。そのため、前記目地カバー部材の内部に取り付けし易い防水材を提供することができる。
【００１４】
請求項２に記載の目地カバー部材の防水材では、前記防水材は発泡体と粘着材とを積層させて構成されており、前記防水材において、前記目地カバー部材の内面に当接する部分が、該内面によって該防水材の位置ガイドを行わせるように前記内面の形状に合致させて形成されている。そのため、前記防水材を前記目地カバー部材の前記内面に取り付けた後、該内面によって前記防水材の位置がガイドされるので、特に接着等をしなくても所定の位置からずれたり外れたりすることを防止可能な防水材を提供することができる。
【００１５】
請求項３に記載の目地カバー部材の防水材では、前記防水材は発泡体と粘着材とを積層させて構成されており、前記粘着材の幅は前記発泡体の幅より狭く構成されている。そのため、前記防水材を前記目地カバー部材の内部に挿入する際、前記粘着材の端部が該目地カバー部材の入口縁部に当たって粘着してしまうことがないので、前記目地カバー部材の内部に挿入しやすい防水材を提供することができる。また、前記粘着材の幅は前記発泡体の幅より狭いので、前記粘着材のリケイ紙も前記発泡体の幅より狭い。すなわち、リケイ紙は前記粘着材とともに前記防水材の端部にまで設けられていないので、該防水材を前記目地カバー部材の内部に取り付けた後、該リケイ紙を剥すために指先を前記目地カバー部材の内部の奥にまで入れる必要がなく、リケイ紙を剥しやすい防水材を提供することができる。
【発明を実施するための最良の形態】
【００１６】
以下、本発明を図１乃至図５に示した実施例に沿って詳細に説明する。
【実施例】
【００１７】
図１は、本発明に係る防水材１０の断面図である。図２は、本発明に係る防水材１０を目地カバー部材２０の内部に取り付けた状態を示す断面図である。
【００１８】
図１に示すように、この防水材１０は、ＥＰＤＭ（エチレン−プロピレン−ジエンゴム）等の発泡体１２と、ブチル系ゴム等の粘着材１４とを積層させて構成されている。この発泡体１２と粘着材１４とは、図２に示すように、防水材１０が目地カバー部材２０の内部に取り付けられた際、防水材１０の発泡体１２側が目地カバー部材２０の内面２０ａに当接するように、防水材１０の上部が発泡体１２、防水材１０の下部であってその発泡体１２の下が粘着材１４という態様で積層されている。
【００１９】
また、この防水材１０の粘着材１４の幅は、発泡体１２の幅よりも狭く構成されている。すなわち、図１に示すように、粘着材１４は発泡体１２と比較して短く形成されており、粘着材１４の端部１４ａと発泡体１２の端部１２ａとは、所定の距離を置いて互いに離間している。
【００２０】
この実施例では、これに限定されないが、例えば発泡体１２の幅は２８ｍｍであり、粘着材１４の幅はそれよりも狭い、例えば２５ｍｍである。その粘着材１４の表面１４ｂには、該表面１４ｂを接触から保護するリケイ紙が一様に張られている。
【００２１】
図１に示すように、この防水材１０の発泡体１２の上下両面中央部は、その発泡体１２の全長に渡って凹溝状に各々形成されており、この上下面の溝の凹部の底面近傍で最も狭くなった部分にくびれ部１６が構成されている。
【００２２】
このため、くびれ部１６は、目地カバー部材２０の長手方向（図３における目地カバー部材２０の長手方向）に略全域に延設されている。
【００２３】
このくびれ部１６は、図２に示す矢印方向に防水材１０を目地カバー部材２０の内部に挿入する際、例えば防水材１０を、くびれ部１６を中心としてその防水材１０の両端を下方に向かって二つ折りに屈曲可能にしている。
【００２４】
そのため、図１に示す防水材１０の幅Ｈ２を、図４に示す防水材１０の幅Ｈ３となるように防水材１０を屈曲させて、後述する目地カバー部材２０の折り曲げ部２２、２２間の開口幅Ｈ１よりも狭くすることができるので、防水材１０を目地カバー部材２０の内部に容易に挿入することが可能となっている。
【００２５】
また、防水材１０が目地カバー部材２０の内部に挿入されると、この屈曲された防水材１０の発泡体１２の復元力により、防水材１０の上部は目地カバー部材２０の内面２０ａに圧接して、防水材１０は目地カバー部材２０の内部に取り付けされる。
【００２６】
この防水材１０の上部の形状は、目地カバー部材２０の内面２０ａの形状と合致するように形成されている。図２に示すように、防水材１０の発泡体１２が目地カバー部材２０の内面２０ａに当接して取り付けられた際、その目地カバー部材２０の内面２０ａに当接する発泡体１２の部分が内面２０ａと一致して、この内面２０ａにより防水材１０の位置がガイドされるとともに固定されるように構成されている。
【００２７】
その目地カバー部材２０は、板厚約０．４ｍｍのステンレス鋼板、アルミメッキ鋼板、塩化ビニル樹脂被覆銅板等の金属板で構成され、図３に示すように下方が開放された長手方向略円筒形に形成されている。
【００２８】
該目地カバー部材２０の下端部両側には、外側に折り曲げられた折り曲げ部２２、２２が形成され、図４に示すように、この折り曲げ部２２、２２を以下に詳述する隣接した面材３０、３０の、互いに対向する端縁部３０ａと端縁部３０ａとの両端縁部にそれぞれ係合させることで、目地カバー部材２０が該両端縁部に嵌着される。
【００２９】
その図４に示すように、面材３０は、本実施例ではオリエンティド・ストランドボード（ＯＳＢ）や構造用合板等の野地板５０の上に配置された屋根の防水鋼板であり、目地カバー部材２０と同様、板厚約０．４ｍｍのステンレス鋼板、アルミメッキ鋼板、塩化ビニル樹脂被覆銅板等の金属板で構成されている。その野地板５０の上に配置された各々の面材３０の両端には、上述の端縁部３０ａが形成されている。
【００３０】
この端縁部３０ａは、平面状の面材３０に対して略直角に折り曲がった折り曲げ部３２と、この折り曲げ部３２の先端から各々の面材３０の内側に向けて折り曲げた折り曲げ部３４と、該折り曲げ部３４の先端からその面材３０の外側に向けて略斜め上方に折り曲げた折り曲げ部３６とを有して構成されている。
【００３１】
図３に示すように、隣接した面材３０、３０の互いに対向する端縁部３０ａと端縁部３０ａとの両端縁部間には、該隣接する面材３０、３０を共に連結する結合部材としてのアンカークリップ４０が長手方向に沿って挿入される。
【００３２】
このアンカークリップ４０も上記の目地カバー部材２０および面材３０と同様、板厚約０．４ｍｍのステンレス鋼板、アルミメッキ鋼板、塩化ビニル樹脂被覆銅板等の金属板で構成され、上方が開口された断面略コ字形に形成されている。そのアンカークリップ４０の該上方の両側先端部は、それぞれ外側に折り曲げられて、折り曲げ部４２、４２を構成している。
【００３３】
このアンカークリップ４０の折り曲げ部４２、４２が、図５に示すように両方の端縁部３０ａ、３０ａの折り曲げ部３４、３４にそれぞれ係合するように、アンカークリップ４０を隣接する面材３０、３０の対向する端縁部３０ａと端縁部３０ａとの両端縁部間に長手方向に挿入することで、隣接する面材３０、３０は共に連結される。
【００３４】
また、アンカークリップ４０の底部にはビス孔４４が形成されている。このビス孔４４にビス４６を挿入し、該ビス４６を野地板５０に貫通させ、たる木６０にねじ込むことで、アンカークリップ４０が野地板５０に圧着されて隣接する面材３０、３０が野地板５０に対して固定される。
【００３５】
そのアンカークリップ４０を用いて隣接する面材３０、３０を連結・固定した後、図５に示すように上記目地カバー部材２０を該両端縁部に対して嵌着させると、面材３０の端縁部３０ａを構成する折り曲げ部３４の先端、およびその折り曲げ部３４と折り曲げ部３２との間に、目地カバー部材２０の折り曲げ部２２がその弾性力によりそれぞれ係合し、且つ該折り曲げ部２２の先端が面材３０の表面に当接するように構成されている。
【００３６】
また、折り曲げ部２２を端縁部３０ａの折り曲げ部３４と折り曲げ部３２との間に係合させて目地カバー部材２０を両端縁部に嵌着させると、図５に示すように、その目地カバー部材２０の内部に取り付けられた防水材１０は該目地カバー部材２０によって押圧されるとともに、その防水材１０の粘着材１４の表面１４ｂは、隣接する面材３０、３０の対向する端縁部３０ａ、３０ａの折り曲げ部３６、３６に強固に密着・接着するようになっている。
【００３７】
これにより、隣接する面材３０、３０の対向する端縁部３０ａと３０ａとの両端縁部間と、該隣接する面材３０、３０を共に連結させるアンカークリップ４０とが目地カバー部２０により覆われ、且つ防水材１０により該両端縁部間とアンカークリップ４０とが水密となるように構成されている。
【００３８】
次に、本実施例の作用効果について説明する。
【００３９】
まず、防水材１０を目地カバー部材２０の内部に挿入して取り付ける。この時、防水材１０の発泡体１２の上下面中央部にはくびれ部１６が形成されているので、図２に示すように矢印方向に防水材１０を挿入する際に防水材１０が目地カバー部材２０の折り曲げ部２２、２２に当接しても、防水材１０は容易に折曲変形する。そのため、防水材１０を折り曲げ部２２、２２の弾性力に抗して力ずくで内部に押し込める必要がない。
【００４０】
また、手で防水材１０をあらかじめ折曲変形させてから目地カバー部材２０の内部に挿入することもできるので、防水材１０を目地カバー部材２０の内部に容易に取り付けることができる。
【００４１】
その上、防水材１０の粘着材１４の幅は、発泡体１２の幅よりも狭く構成されている。そのため、防水材１０を目地カバー部材２０の内部に挿入する際、防水材１０の発泡体１２の端部１２ａが目地カバー部材２０の折り曲げ部２２に当接しても粘着材１４の端部１４ａは折り曲げ部２２には当接しないので、粘着材１４の端部１４ａが目地カバー部材２０の折り曲げ部２２に当たって粘着してしまうことがない。したがって、防水材１０を目地カバー部材２０の内部に容易に挿入することができる。
【００４２】
また、この防水材１０の上部の形状は、目地カバー部材２０の内面２０ａの形状と合致するように形成されているので、防水材１０の発泡体１２が目地カバー部材２０の内面２０ａに当接して取り付けられた際、その目地カバー部材２０の内面２０ａに当接する発泡体１２の部分が内面２０ａと一致する。これにより、該内面２０ａによって防水材１０の位置がガイドされて固定されることになる。
【００４３】
そのため、防水材１０を目地カバー部材２０の内面２０ａに取り付けた後、特に接着等をしなくても防水材１０は所定の位置からずれたり外れたりすることが防止される。
【００４４】
さらに、防水材１０を目地カバー部材２０の内面２０ａに取り付けた後、図２に示すように防水材１０の粘着材１４の幅は発泡体１２の幅よりも狭く構成されているので、粘着材１４の端部１４ａと目地カバー部材２０の内面２０ａとの間には隙間Ｓが発生する。
【００４５】
この粘着材１４の表面１４ｂを保護するリケイ紙も、粘着材１４と同様、発泡体１２の端部１２ａまで設けられていないので、その隙間Ｓからリケイ紙を剥すことができる。
【００４６】
そのため、目地カバー部材２０の内面２０ａにまで延びた粘着材のリケイ紙を剥すために、内面２０ａと粘着材の端部とが当接する目地カバー部材２０の内部の奥の部分にまで指先を入れる必要があった従来の場合と比較して、容易にリケイ紙を剥すことができる。
【００４７】
次に、図３に示すように隣接する面材３０、３０の対向する端縁部３０ａと端縁部３０ａとの両端縁部間にアンカークリップ４０を長手方向に挿入して隣接する面材３０、３０を連結し、ビス４６をアンカークリップ４０のビス孔４４に挿通してたる木６０にねじ込み、面材３０、３０を野地板５０に固着する。
【００４８】
そして、目地カバー部材２０の折り曲げ部２２を、面材３０の端縁部３０ａの折り曲げ部３４の先端および該折り曲げ部３４と折り曲げ部３２との間にそれぞれ係合させて、図５に示すように、目地カバー部材２０を隣接する面材３０、３０の対向する端縁部３０ａと３０ａとの両端縁部間にその弾性力で嵌着させる。
【００４９】
この目地カバー部材２０の折り曲げ部２２は、その先端が面材３０の表面に当接する態様で両端縁部間を覆うので、降雨の他、面材３０上の積雪による凍結や融解による水分の浸入を防ぐことができる。
【００５０】
その目地カバー部材２０の内部に取り付けられた防水材１０の粘着材１４の表面１４ｂは、目地カバー部材２０が両端縁部間に嵌着されると、該目地カバー部材２０によって押圧されて隣接する面材３０、３０の対向する端縁部３０ａ、３０ａの折り曲げ部３６、３６に圧着・接着される。これにより、該両端縁部とその間に係合したアンカークリップ４０との水密性が確保される。
【００５１】
なお、上述の実施形態は本発明の好適な実施の一例ではあるが、これに限定されるものではなく、本発明の要旨を逸脱しない範囲において種々変形実施可能であるのは勿論である。
【００５２】
例えば、本実施例では面材３０は建物の屋根に配置される防水鋼板であるが、バルコニー床、外壁、開口廻り等、その他の建物の外部に設けられる面材であってもよく、このような面材３０と面材３０との目地部を止水する目地カバー部材２０に本発明に係る防水材１０を適用してもよい。
【図面の簡単な説明】
【００５３】
【図１】本発明に係る防水材の断面図である。
【図２】本発明に係る防水材を目地カバー部材の内部に取り付けた状態を示す断面図である。
【図３】本発明に係る防水材を適用した目地カバー部材と、隣接する面材と、この隣接する面材間に挿入されるアンカークリップとを示す分解斜視図である。
【図４】図３に示す目地カバー部材、面材およびアンカークリップの分解断面図である。
【図５】図４に示す目地カバー部材、面材およびアンカークリップを取り付けした断面図である。
【符号の説明】
【００５４】
１０  防水材
１２  発泡体
１２ａ  端部
１４  粘着材
１４ａ  端部
１６  くびれ部
２０  目地カバー部材
２０ａ  内面
２２  折り曲げ部
３０  面材
３０ａ  端縁部
４０  アンカークリップ
【図１】
2006316545.tif 000003
【図２】
2006316545.tif 000004
【図３】
2006316545.tif 000005
【図４】
2006316545.tif 000006
【図５】
2006316545.tif 000007